(57)【要約】【課題】  ＣＤ−ＲトレイとＣＤ−Ｒトレイガイドの収納性向上、ＣＤ−Ｒトレイの放置による変形防止。【解決手段】  ＣＤ−Ｒトレイとトレイガイドを一体で構成し、装置本体に対して一体で着脱可能、装置本体から取り外した非使用状態において、ＣＤ−Ｒトレイがトレイガイド内に収納可能。【選択図】  図１
2006168204.tif 000002
【特許請求の範囲】
【請求項１】
記録媒体を位置決め保持し、記録媒体を搭載して画像記録を行う記録媒体搬送トレイと、記録媒体搬送トレイの位置決め、および搬送のガイドを行う記録媒体搬送トレイガイド手段を有する画像記録装置において、前記記録媒体搬送トレイと記録媒体搬送トレイガイド手段が一体に構成され、装置本体に対して一体化状態で着脱可能であり、装置本体から取り外した状態の、非使用状態において、前記記録媒体搬送トレイが記録媒体搬送トレイガイド手段の中に収納されることを特徴とする画像記録装置。
【請求項２】
請求項１において、非使用状態で、記録媒体搬送トレイを記録媒体搬送トレイガイド手段内に保持するためのロック手段を有することを特徴とする画像記録装置。
【請求項３】
請求項１において、記録媒体搬送トレイガイド手段内に構成され、閉じた状態では、記録媒体搬送トレイのカバーを行い、開いた状態では、記録媒体搬送トレイガイド手段内の記録媒体搬送トレイに対して、記録媒体の装着および取り外しを行うことができる記録媒体搬送トレイカバーを有することを特徴とする画像記録装置。
【請求項４】
前記一体化された記録媒体搬送トレイと、記録媒体搬送トレイガイド手段の装置本体への装着時において、装着動作で前記記録媒体搬送トレイを記録媒体搬送トレイガイド手段内に保持するロック手段の解除動作を行うことを特徴とする請求項1、２に記載の画像記録装置。
【請求項５】
前記記録媒体搬送トレイカバーの開閉動作において、記録媒体搬送トレイカバーの閉状態では、前記記録媒体搬送トレイを記録媒体搬送トレイガイド手段内に保持するロック手段がロック状態にあり、記録媒体搬送トレイカバーの開状態では、ロック手段のロック解除が行われることを特徴とする請求項１、２、３記載の画像記録装置。
【請求項６】
前記一体化された記録媒体搬送トレイと記録媒体搬送トレイガイド手段が、装置本体から取り外された非使用状態において、前記記録媒体搬送トレイカバーの開き動作で、記録媒体搬送トレイを記録媒体搬送トレイガイド手段に設けられた記録媒体搬送トレイの搬送開口部を介して、外に露出させ、かつ、前記記録媒体搬送トレイのロック状態を解除する構成を有し、前記装置本体から取り外された非使用状態において、記録媒体搬送トレイが、記録媒体搬送トレイガイド手段から、着脱可能となることを特徴とする請求項１、２、３、５に記載の画像記録装置。
【請求項７】
前記一体化された記録媒体搬送トレイと記録媒体搬送トレイガイド手段が、装置本体に装着された状態において、前記記録媒体搬送トレイカバーの開き動作で、記録媒体搬送トレイを記録媒体搬送トレイガイド手段に設けられた記録媒体搬送トレイの搬送開口部を介して、装置本体内に挿入させ、記録媒体搬送トレイの搬送スタート位置（搬送セット位置）まで移動させることを特徴とする請求項１、３に記載の画像記録装置。
【請求項８】
請求項１において、装置本体から取り外した状態の、非使用状態において、前記記録媒体搬送トレイを収納した記録媒体搬送トレイガイド手段は箱形状を有し、縦置き、横置きが可能であることを特徴とする画像記録装置。
【請求項９】
請求項１において、前記記録媒体搬送トレイと記録媒体搬送トレイガイド手段が一体に構成され、装置本体に対して一体化状態で着脱可能な構成を、異なる形態のプリンタ間で共通化し、前記記録媒体搬送トレイガイド手段を共通ユニットとすることを特徴とする画像記録装置。
【請求項１０】
請求項９において、前記記録媒体搬送トレイガイド手段を共通ユニットとし、各プリンタに対して、オプションユニット（オプション販売）とすることを特徴とする画像記録装置。
【請求項１１】
記録媒体搬送トレイガイド手段の装置本体への装着状態において、記録媒体搬送トレイカバーの開き動作で、装置本体内の搬送ローラ対の従動回転体（ローラまたはコロまた拍車）の退避動作を行うことを特徴とする請求項１、３記載の画像記録装置。
【発明の詳細な説明】
【技術分野】
【０００１】
本発明は、プリンタ等の記録装置に関するもので、被記録媒体を搭載した記録媒体搬送トレイが使用可能な記録装置に関する。
【背景技術】
【０００２】
従来、プリンタ等の記録装置によって記録される被記録材はさまざまなものが提案されている。その中には、CD-R、DVDやカードのように小型で厚みのある被記録材がある。（以下、まとめてコンパクトディスク、ＣＤで表現する。）現行の汎用プリンタにおいて、前述の被記録材を印刷する場合は、単票用紙の搬送経路を使うと、剛性による搬送性が良くない、傷の発生、搬送ローラー間距離の関係で搬送できない、等の問題が発生する。そこで、記録媒体を搭載した専用の搬送トレイを用いて記録媒体への記録が行われている。
【０００３】
図１９を用いて従来構成について説明する。図１９は、装置本体の前側の全体斜視図である。装置本体１に対して、搬送トレイ３を位置決めガイドする搬送トレイガイド２を矢印A方向から挿入し、不図示の位置決めおよび、保持手段により装置本体１に固定する。この状態で、CD-RやDVD等のCD４を搬送トレイ３に設けられた位置決め溝３Aに、位置決め保持した状態で、矢印A方向から搬送トレイガイド２の挿入開口部２Aの中に挿入して印字を行うものである。搬送トレイ３に搭載されたCD4は矢印A方向に引き込まれ、所定位置で反転し、印字部で印字が行われた後、矢印B方向に排出される。
【特許文献１】特開２００２−４２３７２号公報
【発明の開示】
【発明が解決しようとする課題】
【０００４】
しかしながら、上記従来例において、次のような課題があった。
【０００５】
（１）搬送トレイガイド２と搬送トレイ３は別々に構成され、装置本体から取り外した状態では、ばらばらの構成になる。このため、お互いがばらばらに保管された場合には、使用時に片方が見つからない、また、なくなってしまうという問題があった。
【０００６】
（２）搬送トレイ３はシート形状をしているため、変形力が与えられた状態で保管されると、変形して曲がってしまう。また、変形が大きい場合には、搬送の妨げになり、搬送不良を発生させてしまう問題があった。
【０００７】
（３）搬送トレイガイド２が大きく、また、縦置き、横置きでの姿勢が不安定であることから、置き場所のスペース効率が悪くなるという問題があった。
【０００８】
（４）搬送トレイガイド２を装着してから、搬送トレイ３を挿入し、搬送トレイ３のスタート位置（セット位置）にユーザが位置を合わせるという動作が必要であり、搬送トレイ３のセット動作が複雑であるという問題があった。
【０００９】
（５）搬送トレイ３、搬送トレイガイド２が、各プリンタごとに、別々に構成されているため、複数のプリンタを所有しているユーザは、さらに（１）〜（３）の問題が大きくなるという問題があった。
【課題を解決するための手段】
【００１０】
上記目的を達成するために、本出願に係る第１の発明は、記録媒体を位置決め保持し、記録媒体を搭載して画像記録を行う記録媒体搬送トレイと、記録媒体搬送トレイの位置決め、および搬送のガイドを行う記録媒体搬送トレイガイド手段を有する画像記録装置において、前記記録媒体搬送トレイと記録媒体搬送トレイガイド手段が一体に構成され、装置本体に対して一体化状態で着脱可能であり、装置本体から取り外した状態の、非使用状態において、前記記録媒体搬送トレイが記録媒体搬送トレイガイド手段の中に収納されるものであり、記録媒体搬送トレイの放置による変形防止と記録媒体搬送トレイと記録媒体搬送トレイガイドを一体で保管できることから、保管後の使用時に、搬送トレイを見つける等の煩わしさをなくすことができる。また、一体化構成により収納性の向上を実現することが可能となる。
【００１１】
本出願に係る第２の発明は、第１の発明において、非使用状態で、記録媒体搬送トレイを記録媒体搬送トレイガイド手段内に保持するためのロック手段を有するものであり、記録媒体搬送トレイを、記録媒体搬送トレイガイド内で位置決め保持することが可能となり、記録媒体搬送トレイが、記録媒体搬送トレイガイドから、飛び出すことなく安全に取り扱いができるものである。
【００１２】
本出願に係る第３の発明は、第１の発明において、記録媒体搬送トレイガイド手段内に構成され、閉じた状態では、記録媒体搬送トレイのカバーを行い、開いた状態では、記録媒体搬送トレイガイド手段内の記録媒体搬送トレイに対して、記録媒体の装着および取り外しを行うことができる記録媒体搬送トレイカバーを有するものであり、閉じた状態では、記録媒体搬送トレイをカバーし、搬送トレイにほこりやごみが付着するのを防止し、開いた状態で、記録媒体の交換を可能とするものであり、非使用時の保管性と、使用時の操作性の両方を向上させることが可能となる。
【００１３】
本出願に係る第４の発明は、前記一体化された記録媒体搬送トレイと、記録媒体搬送トレイガイド手段の装置本体への装着時において、装着動作で前記記録媒体搬送トレイを記録媒体搬送トレイガイド手段内に保持するロック手段の解除動作を行うものであり、本体の装着動作でロック解除を行うことにより、ユーザ操作を簡略化し、操作性の向上を実現することができる。また、本構成は、第１、第２の発明を実現するための具体構成である。
【００１４】
本出願に係る第５の発明は、前記記録媒体搬送トレイカバーの開閉動作において、記録媒体搬送トレイカバーの閉状態では、前記記録媒体搬送トレイを記録媒体搬送トレイガイド手段内に保持するロック手段がロック状態にあり、記録媒体搬送トレイカバーの開状態では、ロック手段のロック解除が行われるものであり、記録媒体搬送トレイの開状態への変位動作で、ロック解除を行うことにより、ユーザ操作を簡略化し、操作性の向上を実現することができる。また、本構成は、第１、第２、第３の発明を実現するための具体構成である。
【００１５】
本出願に係る第６の発明は、前記一体化された記録媒体搬送トレイと記録媒体搬送トレイガイド手段が、装置本体から取り外された非使用状態において、前記記録媒体搬送トレイカバーの開き動作で、記録媒体搬送トレイを記録媒体搬送トレイガイド手段に設けられた記録媒体搬送トレイの搬送開口部を介して、外に露出させ、かつ、前記記録媒体搬送トレイのロック状態を解除する構成を有し、前記装置本体から取り外された非使用状態において、記録媒体搬送トレイが、記録媒体搬送トレイガイド手段から、着脱可能となるものであり、記録媒体搬送トレイが壊れた場合の交換時、また、記録媒体搬送トレイの清掃時に記録媒体搬送トレイガイドからのとりはずしが可能となるもである。これにより、非使用時の保管性と記録媒体搬送トレイのメンテナンス性の両方の向上を実現することができる。また、この本構成は、第１、第２、第３、第５の発明を実現するための具体構成である
本出願に係る第７の発明は、前記一体化された記録媒体搬送トレイと記録媒体搬送トレイガイド手段が、装置本体に装着された状態において、前記記録媒体搬送トレイカバーの開き動作で、記録媒体搬送トレイを記録媒体搬送トレイガイド手段に設けられた記録媒体搬送トレイの搬送開口部を介して、装置本体内に挿入させ、記録媒体搬送トレイの搬送スタート位置（搬送セット位置）まで移動させるものであり、記録媒体搬送トレイカバーの開き動作で、記録媒体搬送トレイを搬送スタート位置（セット位置）まで移動させ、かつ、その状態で記録媒体の装着が可能になることから、ユーザ操作を簡略化し、操作性の向上を実現するものである。また、本構成は、第１、第３の発明を実現するための具体構成である。
本出願に係る第８の発明は、第１の発明において、装置本体から取り外した状態の、非使用状態において、前記記録媒体搬送トレイを収納した記録媒体搬送トレイガイド手段は箱形状を有し、縦置き、横置きを可能とするものであり、収納場所に合わせて、効率の良い収納が実現できるものである。
【００１６】
本出願に係る第９の発明は、第１の発明において、前記記録媒体搬送トレイと記録媒体搬送トレイガイド手段が一体に構成され、装置本体に対して一体化状態で着脱可能な構成を、異なる形態のプリンタ間で共通化し、前記記録媒体搬送トレイガイド手段を共通ユニットとするものであり、製品開発の効率化により、全体でのコストダウンが行える。また。複数のプリンタを有する場合には、記録媒体搬送トレイガイドユニットを共通で使用することが可能となり、ユーザに対して、無駄な購入がなくせるという効果がある。
【００１７】
本出願に係る第１０の発明は、第９の発明において、前記記録媒体搬送トレイガイド手段を共通ユニットとし、各プリンタに対して、オプションユニット（オプション販売）とするものであり、第９の発明を実現するための具体構成である。
【００１８】
本出願に係る第１１の発明は、記録媒体搬送トレイガイド手段の装置本体への装着状態において、記録媒体搬送トレイカバーの開き動作で、装置本体内の搬送ローラ対の従動回転体（ローラまたはコロまた拍車）の退避動作を行うものであり、第１、第３の発明を実現するための具体構成である。
【発明の効果】
【００１９】
以上説明したように、本出願に係る第１の発明によれば、記録媒体を位置決め保持し、記録媒体を搭載して画像記録を行う記録媒体搬送トレイと、記録媒体搬送トレイの位置決め、および搬送のガイドを行う記録媒体搬送トレイガイド手段を有する画像記録装置において、前記記録媒体搬送トレイと記録媒体搬送トレイガイド手段が一体に構成され、装置本体に対して一体化状態で着脱可能であり、装置本体から取り外した状態の、非使用状態において、前記記録媒体搬送トレイが記録媒体搬送トレイガイド手段の中に収納されるものであり、記録媒体搬送トレイの放置による変形防止と記録媒体搬送トレイと記録媒体搬送トレイガイドを一体で保管できることから、保管後の使用時に、搬送トレイを見つける等の煩わしさをなくすことができる。また、一体化構成により収納性の向上を実現することが可能となる。
【００２０】
本出願に係る第２の発明によれば、第１の発明において、非使用状態で、記録媒体搬送トレイを記録媒体搬送トレイガイド手段内に保持するためのロック手段を有するものであり、記録媒体搬送トレイを、記録媒体搬送トレイガイド内で位置決め保持することが可能となり、記録媒体搬送トレイが、記録媒体搬送トレイガイドから、飛び出すことなく安全に取り扱いができるものである。
【００２１】
本出願に係る第３の発明は、第１の発明において、記録媒体搬送トレイガイド手段内に構成され、閉じた状態では、記録媒体搬送トレイのカバーを行い、開いた状態では、記録媒体搬送トレイガイド手段内の記録媒体搬送トレイに対して、記録媒体の装着および取り外しを行うことができる記録媒体搬送トレイカバーを有するものであり、閉じた状態では、記録媒体搬送トレイをカバーし、搬送トレイにほこりやごみが付着するのを防止し、開いた状態で、記録媒体の交換を可能とするものであり、非使用時の保管性と、使用時の操作性の両方を向上させることが可能となる。
【００２２】
本出願に係る第４の発明によれば、前記一体化された記録媒体搬送トレイと、記録媒体搬送トレイガイド手段の装置本体への装着時において、装着動作で前記記録媒体搬送トレイを記録媒体搬送トレイガイド手段内に保持するロック手段の解除動作を行うものであり、本体の装着動作でロック解除を行うことにより、ユーザ操作を簡略化し、操作性の向上を実現することができる。また、本構成は、第１、第２の発明を実現するための具体構成である。
【００２３】
本出願に係る第５の発明によれば、前記記録媒体搬送トレイカバーの開閉動作において、記録媒体搬送トレイカバーの閉状態では、前記記録媒体搬送トレイを記録媒体搬送トレイガイド手段内に保持するロック手段がロック状態にあり、記録媒体搬送トレイカバーの開状態では、ロック手段のロック解除が行われるものであり、記録媒体搬送トレイの開状態への変位動作で、ロック解除を行うことにより、ユーザ操作を簡略化し、操作性の向上を実現することができる。また、本構成は、第１、第２、第３の発明を実現するための具体構成である。
【００２４】
本出願に係る第６の発明によれば、前記一体化された記録媒体搬送トレイと記録媒体搬送トレイガイド手段が、装置本体から取り外された非使用状態において、前記記録媒体搬送トレイカバーの開き動作で、記録媒体搬送トレイを記録媒体搬送トレイガイド手段に設けられた記録媒体搬送トレイの搬送開口部を介して、外に露出させ、かつ、前記記録媒体搬送トレイのロック状態を解除する構成を有し、前記装置本体から取り外された非使用状態において、記録媒体搬送トレイが、記録媒体搬送トレイガイド手段から、着脱可能となるものであり、記録媒体搬送トレイが壊れた場合の交換時、また、記録媒体搬送トレイの清掃時に記録媒体搬送トレイガイドからのとりはずしが可能となるもである。これにより、非使用時の保管性と記録媒体搬送トレイのメンテナンス性の両方の向上を実現することができる。また、この本構成は、第１、第２、第３、第５の発明を実現するための具体構成である
本出願に係る第７の発明によれば、前記一体化された記録媒体搬送トレイと記録媒体搬送トレイガイド手段が、装置本体に装着された状態において、前記記録媒体搬送トレイカバーの開き動作で、記録媒体搬送トレイを記録媒体搬送トレイガイド手段に設けられた記録媒体搬送トレイの搬送開口部を介して、装置本体内に挿入させ、記録媒体搬送トレイの搬送スタート位置（搬送セット位置）まで移動させるものであり、記録媒体搬送トレイカバーの開き動作で、記録媒体搬送トレイを搬送スタート位置（セット位置）まで移動させ、かつ、その状態で記録媒体の装着が可能になることから、ユーザ操作を簡略化し、操作性の向上を実現するものである。また、本構成は、第１、第３の発明を実現するための具体構成である。
【００２５】
本出願に係る第８の発明によれば、第１の発明において、装置本体から取り外した状態の、非使用状態において、前記記録媒体搬送トレイを収納した記録媒体搬送トレイガイド手段は箱形状を有し、縦置き、横置きを可能とするものであり、収納場所に合わせて、効率の良い収納が実現できるものである。
【００２６】
本出願に係る第９の発明によれば、第１の発明において、前記記録媒体搬送トレイと記録媒体搬送トレイガイド手段が一体に構成され、装置本体に対して一体化状態で着脱可能な構成を、異なる形態のプリンタ間で共通化し、前記記録媒体搬送トレイガイド手段を共通ユニットとするものであり、製品開発の効率化により、全体でのコストダウンが行える。また。複数のプリンタを有する場合には、記録媒体搬送トレイガイドユニットを共通で使用することが可能となり、ユーザに対して、無駄な購入がなくせるという効果がある。
【００２７】
本出願に係る第１０の発明によれば、第９の発明において、前記記録媒体搬送トレイガイド手段を共通ユニットとし、各プリンタに対して、オプションユニット（オプション販売）とするものであり、第９の発明を実現するための具体構成である。
【００２８】
本出願に係る第１１の発明によれば、記録媒体搬送トレイガイド手段の装置本体への装着状態において、記録媒体搬送トレイカバーの開き動作で、装置本体内の搬送ローラ対の従動回転体（ローラまたはコロまた拍車）の退避動作を行うものであり、第１、第３の発明を実現するための具体構成である。
【発明を実施するための最良の形態】
【００２９】
（第１の実施例）
第１の実施例を図１〜図１０に沿って説明する。図１〜４、７、８は本発明の構成を示す斜視図、図５、６、９、１０は本発明の構成を示す、上面からみた断面図である。
【００３０】
図１〜６を用いて、記録媒体搬送トレイガイドユニット１０を装置本体から取り外した場合の、非使用状態について説明する。図３、図４に示すように記録媒体搬送トレイガイドユニット１０は、搬送トレイガイドベース６と搬送トレイカバー５で構成され、搬送トレイカバー５は不図示の位置決めガイド手段により、搬送トレイガイドベース６上を矢印C、D方向にスライド移動可能に構成されている。図３、４の状態では、搬送トレイカバー５が、搬送トレイガイドベース６内に収納された搬送トレイ３（図３、４では不図示）を外部から遮蔽し、カバーするように配置されている。よって、非使用状態では、搬送トレイ３は、記録媒体搬送トレイガイドユニット１０内に一体で収納されている。これにより、搬送トレイ３は、常に記録媒体搬送トレイガイドユニット１０と一体で保管できる。よって、搬送トレイ３を見つける等の煩わしさがなくなり、すぐに使用することができる。また、搬送トレイ３の放置による変形を防止し、搬送トレイ３を安定した状態で保管することができる。また、搬送トレイカバー５で、外部から遮蔽することにより、搬送トレイ３にほこりや、ゴミが付着するのを防止することができる。さらに、記録媒体搬送トレイガイドユニット１０は、箱形状を有し、図３、４の水平状態以外に、縦置き、横置きでの保管が可能であり、収納スペースに合わせて効率よく収納することが可能となる。
【００３１】
次に図５を用いて、記録媒体搬送トレイガイドユニット１０内に収納された、搬送トレイ３が、収納状態で位置決め保持されるロック機構について説明する。図５は上面から見た、記録媒体搬送トレイガイドユニット１０の断面図である。搬送トレイ３は搬送トレイガイドベース６の位置決めリブ６A、６Bで幅方向を位置決めされている。７は搬送トレイ３の後端を位置決めする後端規制板、８は搬送トレイ３を収納状態で保持するロックレバーである。ロックレバー８は８C部を回転中心として、不図示のばねのより矢印I方向に加圧されている。搬送トレイ３にはロックのための切り欠き部が設けられロックレバー８のロック部８Bが、搬送トレイ３の位置決め切り欠き部３Bに挿入されることで、搬送トレイ３のロックが行われる。この構成により、記録媒体搬送トレイガイドユニット１０の全ての方向において、搬送トレイ３が飛び出すことなく収納状態を保持することができる（図３、４は搬送トレイ３がロックされている状態を示す）。ロックレバー８の反対側には、ロックレバー解除部８Aが設けられ、搬送トレイガイドベース６の開口部６Dを介して、搬送トレイガイドベース６の外側に突出する構成を有する。
【００３２】
次に、図１、２、６を用いて、搬送トレイ３の着脱構成について説明する。
【００３３】
搬送トレイ３に不具合が生じて、新しい搬送トレイ３と交換する場合や、搬送トレイ３を清掃する場合等に、搬送トレイ３を記録媒体搬送トレイガイドユニット１０から取り外す場合が発生する。図３、４の状態から搬送トレイカバー５を矢印C方向にスライドさせる。搬送トレイカバー５を完全に開いた状態を図１、２に示す。
【００３４】
次に、搬送トレイカバー５のスライド動作（開き動作）によるロック解除と、搬送トレイ３の移動動作について図６を用いて説明する。搬送トレイカバー５が矢印C方向に移動すると搬送トレイカバー５のロック解除部５Bがロックレバー８のロックレバー解除部８Aと接触し、ロックレバー解除部８Aを、搬送トレイガイドベース６の内側に移動させ、ロック解除レバー８を矢印G方向に回転させる。この動作により、ロック部８Bが、搬送トレイ３の位置決め切り欠き部３Bから抜けて、ロックが解除される。さらに搬送トレイカバー５を矢印C方向に移動させると、不図示のリンク機構、または、ラック・ピニオン機構等により、後端規制板７を矢印H方向に移動さる。この時、後端規制板７は搬送トレイ３と伴に矢印H方向に移動する。この動作により、搬送トレイガイドベース６の開口部６Cから、搬送トレイ３の先端部３Cが出張る状態になる。よって、搬送トレイカバー５が完全に開いた状態（図１、２、６）では、搬送トレイ３のロックが解除され、かつ、記録媒体搬送トレイガイドユニット１０から搬送トレイ３の先端部３Cが飛び出した状態になる。この状態で、搬送トレイ３をつかんで矢印E方向に引き出すことにより、搬送トレイ３を記録媒体搬送トレイガイドユニット１０から抜き取ることが可能となる。これにより、搬送トレイ３の交換や清掃を行うことができる。戻す場合には、搬送トレイ３を矢印F方向に挿入すれば良い。また、搬送トレイカバー５を矢印D方向に移動させて、図３、４の状態にすれば、収納状態に戻すことができる。本構成により、非使用時の保管性、および、搬送トレイ３のメンテナンス性の両方の向上を実現することが可能となる。
【００３５】
次に、図７〜１０を用いて、記録媒体搬送トレイガイドユニット１０を装置本体１に装着して、搬送トレイ３に搭載したCD４に印字を行う構成について説明する。記録媒体搬送トレイガイドユニット１０を矢印C方向に移動させ、不図示の位置決めガイド、および固定手段により装置本体１に装着する（図７、９に示す）。この状態では、ロックレバー８のロック部８Bが搬送トレイ３の位置決め切り欠き部３Bに系合したロック状態にある。次に搬送トレイカバー５を矢印C方向に移動させる。非使用状態の時と同様に、搬送トレイカバー５を矢印C方向に移動させることにより、ロックを解除し、後端規制板７を介して搬送トレイ３が矢印C方向に移動し、搬送トレイ３の先端部３Cは装置本体１の搬送開口部１Aを介して、装置本体１の中に挿入される（図８、１０に示す）。また、移動された搬送トレイ３の位置は、搬送トレイ３の印字スタート位置（セット位置）になるように構成されている。これにより、ユーザが搬送トレイ３をセット位置に移動させる動作がなくなり操作性が向上するものである。さらに、搬送トレイカバー５が矢印C方向に移動することにより、記録媒体搬送トレイガイドユニット１０の後端部が開かれ、図８に示すように、搬送トレイ３が、外から見える状態になる。この状態で、CD４を、搬送トレイ３に設けられた位置決め溝３Aに装着が可能となる。また、搬送トレイカバー５の両側には突部５Aが設けられ、矢印C方向の移動で、５A部は装置本体１内に挿入され、この挿入動作で、不図示のカムまたはレバー手段を介して、装置本体１内の搬送ローラ対の従動回転体（ローラまたはコロまた拍車）の退避動作が行われる。これは、従動回転体によって、CD４にダメージを与えるのを防止するためである。
【００３６】
次に、図８、１０を用いて、CD４の印字動作について説明する。印字命令が与えられると、不図示の搬送手段により、CD４を位置決め保持した搬送トレイ３が矢印J方向に引き込まれ、印字部を通過し、所定の位置で反転し矢印K方向に搬送される。K方向の搬送と、不図示の印字手段の往復移動動作により、CD４上に印字が行われる。印字が終了すると、不図示の搬送手段によるさらにK方向に搬送され、搬送トレイ３は元の印字スタート位置（セット位置）に戻る。この動作を繰り返すことにより、複数のCD４の印字が可能となる。印字が終了し、記録媒体搬送トレイガイドユニット１０をはずす場合には、装着手順と反対の操作を行うことで、取り外しができる。以上説明した構成により、非使用時の保管性と、使用時の操作性の両方を向上させることが可能となる。
【００３７】
（第２の実施例）
第１の実施例では、搬送トレイ３のロック解除を、搬送トレイカバー５の移動動作で行う構成について説明したが、ロック解除動作を装置本体１への装着動作を用いた構成でも同様の効果が得られる。図１１〜１３を用いて説明する。図１３は斜視図、図１１、１２は上面からみた断面図である。図１３に示すように、搬送トレイガイドベース６の前側には、装置本体のロック解除部が挿入される開口部６Eが設けられている。記録媒体搬送トレイガイドユニット１０を矢印C方向に移動させ、装置本体１に対して装着を行う。装置本体１には、ロック解除用の突起部１Bが設けられている。装着状態では図１２に示すように、ロック解除の突起部１Bが開口部６Eから、搬送トレイガイドベース６内に挿入される。この動作によりロックレバー８のロック解除部８Dを、突起部１Bにより回転させ、ロック部８Bを矢印G方向に移動させロックが解除される。この後の、搬送トレイカバー５の矢印C方向の移動以降の動作については、第１の実施例と同じであるので説明は省略する。
【００３８】
（第３の実施例）
第１の実施例では、搬送トレイカバー５の開閉動作を矢印C、D方向のスライドで行う構成について説明したが、搬送トレイカバーの開閉を回転機構を用いた構成でも同様の効果が得られる。図１４、１５を用いて説明する。
図１４は搬送トレイカバー９の閉状態を示し、搬送トレイガイドベース６に設けられた回転軸６Fに、搬送トレイカバー９に設けられた回転中心穴９Aが取り付けられている。この状態で搬送トレイカバー９を矢印L方向に引き上げる。搬送トレイカバー９が開いた状態を図１５に示す。この状態で、CD４の装着、および、不図示のリンクまたはラック・ピニオン構成等により、搬送トレイ３の矢印C方向への移動および、搬送トレイ３の印字スタート位置（セット位置）への移動が行われるものである。他の構成は、第１の実施例と同様であるため説明は省略する。
【００３９】
（第４の実施例）
第１の実施例では、記録媒体搬送トレイガイドユニット１０が、ひとつの装置本体１に装着される構成について説明したが、記録媒体搬送トレイガイドユニット１０を、複数の装置本体に対して、共通ユニットとして構成しても同様の効果が得られる。図１６〜１９を用いて説明する。搬送トレイ３、（CD４）を装着した共通の記録媒体搬送トレイガイドユニット１０が、図１６ではA3サイズ対応の装置本体１に対して、図１７ではA4サイズ対応の装置本体に対して、図１８では、A4サイズ対応のモバイル機に対して装着されている。記録媒体搬送トレイガイドユニット１０の位置決め、および本体へのロック構成等は共通形状で構成されている。よって、この構成により、記録媒体搬送トレイガイドユニット１０は、複数の装置本体に対して対応が可能となり、記録媒体搬送トレイガイドユニット１０をオプション設定にすれば、ユーザは、記録媒体搬送トレイガイドユニット１０を1個購入することで、複数の装置本体で使用可能となり、無駄な部品の購入をなくすことができる。
【図面の簡単な説明】
【００４０】
【図１】本発明の第１の実施例における非使用状態の斜視図。
【図２】本発明の第１の実施例における非使用状態の斜視図。
【図３】本発明の第１の実施例における非使用状態の斜視図。
【図４】本発明の第１の実施例における非使用状態の斜視図。
【図５】本発明の第１の実施例における非使用状態の上面断面図。
【図６】本発明の第１の実施例における非使用状態の上面断面図。
【図７】本発明の第１の実施例における使用状態の斜視図。
【図８】本発明の第１の実施例における使用状態の斜視図。
【図９】本発明の第１の実施例における使用状態の上面断面図。
【図１０】本発明の第１の実施例における使用状態の上面断面図。
【図１１】本発明の第２の実施例における上面断面図。
【図１２】本発明の第２の実施例における上面断面図。
【図１３】本発明の第２の実施例における斜視図。
【図１４】本発明の第３の実施例における斜視図。
【図１５】本発明の第３の実施例における斜視図。
【図１６】本発明の第４の実施例における斜視図。
【図１７】本発明の第４の実施例における斜視図。
【図１８】本発明の第４の実施例における斜視図。
【図１９】従来例を示す斜視図。
【符号の説明】
【００４１】
１  装置本体
２  搬送トレイガイド
３  搬送トレイ
４  CD
５、９  搬送トレイカバー
６  搬送トレイガイドベース
７  後端規制板
８  ロックレバー
１０  記録媒体搬送トレイガイドユニット
【図１】
2006168204.tif 000003
【図２】
2006168204.tif 000004
【図３】
2006168204.tif 000005
【図４】
2006168204.tif 000006
【図５】
2006168204.tif 000007
【図６】
2006168204.tif 000008
【図７】
2006168204.tif 000009
【図８】
2006168204.tif 000010
【図９】
2006168204.tif 000011
【図１０】
2006168204.tif 000012
【図１１】
2006168204.tif 000013
【図１２】
2006168204.tif 000014
【図１３】
2006168204.tif 000015
【図１４】
2006168204.tif 000016
【図１５】
2006168204.tif 000017
【図１６】
2006168204.tif 000018
【図１７】
2006168204.tif 000019
【図１８】
2006168204.tif 000020
【図１９】
2006168204.tif 000021